(57)【要約】【目的】  長期に亙って墓守がなされ、終日明るい環境が保たれ、墓参者が故人を偲び、安らぎを得て、充実したひと時を過ごすことができる総合公園墓地の実現を課題とする。【構成】  墓所部分１の各墓所には、所定の長期間に亙って、花立の下には絶えず生花長命防腐用のミネラル水が供給され、燈明台に設けられたＬＥＤランプが絶えず点灯されている。【選択図】            図１
2005054461.tif 000002
【特許請求の範囲】
【請求項１】
区画された墓所部分と公園部分と共通設備部分とを有する総合公園墓地において、
該墓所部分の各墓所には所定の長期間に亙って、花立の下には絶えず生花用の水が供給され、燈明台に設けられたＬＥＤランプが絶えず点灯されていることを特徴とする公園墓地。
【請求項２】
前記墓所部分に画像・音楽の表示再生装置を具備することを特徴とする請求項１に記載の公園墓地。
【請求項３】
前記各墓所の墓標の形状及び大きさが統一されていることを特徴とする請求項１又は請求項２に記載の公園墓地。
【請求項４】
前記公園部分に、花壇、植栽、樹木、池、散策路、大仏像、休憩所、売店、給水所、給湯所、トイレ、ゴミ箱又はベンチのいずれか又はこれらの組み合わせを有することを特徴とする請求項１乃至請求項３のいずれかに記載の公園墓地。
【請求項５】
前記共通設備部分に、管理事務所、温泉又は浴場などの入浴設備、精進料理又は薬膳料理などのレストラン、売店、茶、コーヒー、紅茶などを提供する喫茶室、談話室、ハーブ園又は薬草園などの植物園、寺院・神殿・教会、配電・給水設備、駐車場、ロッカーのいずれか又はこれらの組み合わせを有することを特徴とする請求項１乃至請求項４のいずれかに記載の公園墓地。
【請求項６】
請求項１乃至請求項５に記載の公園墓地の使用契約に、契約初期から所定の長期間に亙って、墓所と墓標の清掃が行われるサービスが付帯していることを特徴とする公園墓地の使用契約の方法。
【請求項７】
請求項１乃至請求項５に記載の公園墓地の使用契約に、契約初期から所定の長期間に亙って、春秋の彼岸、盆、故人の祥月命日には生花又は榊又は樒が献花され、読経や奉祀が行われるサービスが付帯していることを特徴とする公園墓地の使用契約の方法。
【発明の詳細な説明】
【技術分野】
【０００１】
本発明は、公園墓地に関し、ことに、四季を問わず花と緑に包まれ、昼夜ともいつまでも明るく美しく、長時間に亙って個人が手入れする必要なく墓所が維持される公園墓地に関する。
【背景技術】
【０００２】
近年、墓地の概念は大きく変わってきて、従来の暗くいぶせき場所という考えから、明るく緑の多い広々した公園のような快適な場所へと変化している。このような考え方で、樹木や植物を墓標にした公園墓地（特許文献１及び特許文献２）や、地球型のモニュメントが一体になった公園墓地（特許文献３）、噴水によって潤いと安らぎを提供する公園墓地（特許文献４）などが報告されている。
一方、墓所も従来の「○○家」のお墓という考えから「何某個人の墓」という考えに代わってきている。ところで、墓が個人のものとなると、将来には、墓の守をしてくれる人がいなくなって無縁に成り、荒れ果ててしまい、そのうちに撤去されてしまうという暗い結果になりかねない。また、無縁の墓所が増えると、折角の公園墓地の明るさ快適さが阻害されてしまう。
【特許文献１】特開２００３−１１３６７９号公報（第１図）
【特許文献２】特開２００２−１０６２０８号公報（第１図）
【特許文献３】特開２００２−３４９０９７号公報（第１図）
【特許文献４】特開２０００−２４０３２５号公報（第１図）
【発明の開示】
【発明が解決しようとする課題】
【０００３】
従来の墓地では子孫が絶えたり、お参りするものがなくなると、無縁墓となって撤去されてしまう可能性があり、また、このような無縁墓が増えると公園墓地、霊園自身の明るさも失われてしまうという問題があった。本発明は、このような問題を解決して、当初の費用で長期に亙って墓守がなされ、長期に亙って明るい環境が保たれ、墓参者が故人を偲び、安らぎを得て、充実したひと時を過ごすことができる公園墓地の実現を課題とする。
【課題を解決するための手段】
【０００４】
上記課題を達成するため、本発明は、区画された墓所部分と公園部分と共通設備部分とを有する総合公園墓地において、該墓所部分の各墓所には所定の長期間に亙って、花立の下には絶えず生花用の水が供給され、燈明台に設けられたＬＥＤランプが絶えず点灯されていることを特徴とする。
【０００５】
また、上記課題を達成するため、本発明は、前記墓所部分に画像・音楽の表示再生装置を具備することを特徴とする。
【０００６】
また、上記課題を達成するため、本発明は、前記各墓所の墓標の形状及び大きさが統一されていることを特徴とする。
【０００７】
また、上記課題を達成するため、本発明は、前記公園部分に、花壇、植栽、樹木、池、散策路、大仏像、休憩所、売店、給水所、給湯所、トイレ、ゴミ箱又はベンチのいずれか又はこれらの組み合わせを有することを特徴とする。
【０００８】
また、上記課題を達成するため、本発明は、前記共通設備部分に、管理事務所、温泉又は浴場などの入浴設備、精進料理又は薬膳料理などのレストラン、茶、コーヒー、紅茶などを提供する喫茶室、談話室、ハーブ園又は薬草園などの植物園、寺院・神殿・教会、配電・給水設備、駐車場、ロッカーのいずれか又はこれらの組み合わせを有することを特徴とする。
【０００９】
また、上記課題を達成するため、本発明の公園墓地の墓所の使用契約の方法には、契約初期から所定の長期間に亙って、墓所と墓標の清掃が行われるサービスが付帯していることを特徴とする。
【００１０】
また、上記課題を達成するため、本発明の公園墓地の墓所の使用契約の方法には、契約初期から所定の長期間に亙って、春秋の彼岸、盆、故人の祥月命日には生花又は榊又は樒が献花され、読経や奉祀が行われるサービスが付帯していることを特徴とする。
【発明の効果】
【００１１】
これらにより、永年に亙って、墓所が常に整備清掃され、献花、燈明が絶えず、全体に自然がいっぱいで、明るくて美しく、墓参者が故人を偲び、安らぎを得ることができるとともに、充実した時間を過ごすことができる公園墓地を実現し維持することができる。
【発明を実施するための最良の形態】
【００１２】
公共の福祉政策では、ますます少子超高齢化社会となり、老後のことまでで精一杯で、なかなか墓についての施策まで手が廻らないのが現状である。しかし、現代は人々の要求が進み、祖先の宗教宗派から自分の選んだ宗教へという考え方や、死んだ後まで夫婦一体はいかがなものかという考え方も生まれ、昔のような先祖伝来の墓に葬られることを拒否したり、さらに、自分の墓にも自己の個性を表して、自分らしい死後の安楽をも願う時代になってきている。このため、墓を宗教宗派に関係のない霊園や公園墓地に求める人が多くなってきている。
この際に問題になるのは、自分の死後、自分の墓を守ってくれる仕組みである。子孫がいつまでも墓参りをいてくれるとは限らないし、まして身寄りのない人では、折角墓を設けても、すぐに無縁仏となってしまうのでは残念である。
本発明は、墓所の契約の中に永代供養のサービスを含めて、例えば１００年間は墓所が常に整備清掃され、献花、燈明が絶えず、祥月命日や春秋のお彼岸、お盆、正月などには欠かさず読経を上げてもらえることが保証され、墓参者は夜も燈明の灯りが輝いて花や緑の多い敷地内でいつでもリラックスでき、生前にも天国や極楽を夢見る死生の場を明るく楽しむことができる公園墓地を提供する。
【００１３】
図１に、本発明の公園墓地の一実施の形態の一部平面図を示す。
図１において、符号１はこの公園墓地の墓所部分、符号２は公園部分、符号３は共通設備部分である。また、公園部分２で、符号２１は花壇、符号２２は植栽、符号２３は樹木、符号２４は池、符号２５は散策路、符号２６は大佛像、符号２７は休憩所及びトイレ、符号２８は売店、符号２９は給水及び給湯所である。また、共通設備部分３で符号３１は管理事務所、符号３２は温泉、浴室などの入浴設備、符号３３は談話室及びレストラン、符号３４は売店、佛神具販売店及び喫茶室、符号３５は寺院及び教会、符号３６は植物園、符号３７は管理事務所３１や売店３４の地下に設けられる配電給水設備、符号３８は駐車場である。
【００１４】
墓所部分１は、芝生の上に形成され、ほぼ、同一の大きさに区分される。墓標の大きさも統一されたものにする。これは、墓標に不揃いな大小があると、部分的に日陰ができ、全体の明るさが保てなくなるとともに、芝生の育成が妨げられるからである。その代わり天然石、人工石または人工加工石からなる墓標の表面には自動彫刻機によって自由な文字や図形を刻むことができる。
【００１５】
図２に、このような墓標１１とその前に置かれる献花台１２及び墓標１１の下に埋められる骨壷１３の一例を示す。
墓標１１の形は、墓標表面が斜め上向きの横長台形を基準とし、統一された大きさ内なら色・形は自由であり、献花台１２の燈明立には、ＬＥＤランプからなる燈明が絶えず輝いている。ＬＥＤランプは、日中と夜間でその発色光を変えるようにしてもよい。このＬＥＤランプの電源は、自然エネルギーを活用し、太陽電池を用いた太陽光からの発電や風車による風力発電、水力発電などによっているので、環境にやさしく、維持費を廉価にでき、長期間に亙って絶えず点灯することが可能である。これにより、墓所の暗いイメージを払拭することができる。
献花台１２の花立の下には、パイプラインが設けられており、このパイプラインに生花の寿命を伸ばすミネラル水を循環させている。これによって、花立の水が腐敗せず、生花がいつまでもみずみずしく、切花の切口から根が発生することさえあって、いつまでも維持費廉価に墓標１１を飾ることができる。
骨壷１３も天然石、人工石又は人工加工石で作られており、施錠可能になっている。
また、この墓標１１には、ＩＴ機器の端末接続端子が設けられて、ＤＶＤやビデオテープなどの映像を再生する表示装置や、録音された音声信号を再生する音響装置を付帯させ、故人を偲ぶ映像音声や、故人が好んだ映像音声を再現することができるようにすることも可能である。この場合、表示装置や音響装置の制御は、光ファイバーや無線ＬＡＮなどの技術を用いて、後述する管理事務所３１で一括して行うことで、装置のトータル価格を廉価にすることができる。
【００１６】
公園部分２では、花壇２１や植栽２２が四季の花を咲かしており、墓所部分１や公園部分２の要所要所には、沙羅双樹や香木を始めとする種々の樹木２３が植えられており、散策路２５では池２４や樹木２３の木立ちや植栽２２が随所に配置されて心が落ち着く逍遥が可能で、また、夜も天然エネルギーの活用で明るい環境が展開できる。これらの植栽２２や樹木２３は墓所部分１の芝生とマッチして、やさしい緑の風景を形作っている。
また、入り口付近には、この公園墓地のシンボルである黄金の大佛像２６が設けられている。この大仏像２６には、墓参者が祈りの気持ちを込めて仏身の肌に触れて金箔を直接貼り付けることが可能で、これにより、佛像と墓参者の心が通い佛像が一層の神々しさを増し保つようになる。
さらに、公園墓地の随所にトイレつきの休憩所２７が設けられていて、一休みすることができる。また、お香や数珠や佛神具、みやげ物、お供え用にも使える食品、果物、飲料などを販売する売店２８も所々に設けられ、また、墓石を洗う給水及び給湯所２９も墓所部分１のあちこちに、あまり遠くない間隔で設けられている。
【００１７】
共通設備部分３としては、入り口近くに管理事務所３１があり、この公園墓地の案内や全体の管理、設備の制御、園内の警備などを行う職員が詰めている。
また、低額で利用できる温泉、浴室などの入浴設備３２があり、全国各地の温泉のエッセンス、生薬の風呂、ジャグジーなどの健康風呂に入浴することができる。
また、談話室及びレストラン３３の建物には、大勢が集える談話室や、精進料理、薬膳料理、その他、健康茶やハーブ茶、ジュース、世界各国のバラエティーに富んだ薬酒や天然樹液、果・野菜汁、健康料理を楽しむことができるレストランがある。さらに、軽食なども取れる売店、佛神具販売店及び喫茶室３４もある。
葬儀や法要を営む人のために、宗教宗派別に対応できる寺院、神殿及び教会３５も設けられている。また、ハーブや薬草が植えられ、栽培の指導をしてもらえる植物園３６がある。
一方、管理事務所３１や売店３４の地下には配電給水設備３７が設けられ、停電時にも対応できるようになっている。さらに駐車場３８も充分な広さで設けられている。  
【産業上の利用可能性】
【００１８】
以上のように、本発明の公園墓地では、永年に亙って、墓所が常に整備清掃され、献花、燈明が絶えず、公園墓地全体に自然がいっぱいで、明るくて美しく、これによって、墓参者が故人を偲び、安らぎを得ることができるとともに、忙しい日常を離れた充実した癒しの時間を過ごすことができる公園墓地を実現して維持することができる。
【図面の簡単な説明】
【００１９】
【図１】本発明の公園墓地の一部平面図である。
【図２】本発明の公園墓地で用いられる墓標と献花台と骨壷の一例を示す図である。
【符号の説明】
【００２０】
１    墓所部分
２    公園部分
３    共通設備部分
１１  墓標
１２  献花台
１３  骨壷
２１  花壇
２２  植栽
２３  樹木
２４  池
２５  散策路
２６  大佛像
２７  休憩所及びトイレ
２８  売店
２９  給水及び給湯所
３１  管理事務所
３２  温泉、浴室などの入浴設備
３３  談話室及びレストラン
３４  売店、佛神具販売店及び喫茶室
３５  寺院、神殿及び教会
３６  植物園
３７  配電給水設備
３８  駐車場
【図１】
2005054461.tif 000003
【図２】
2005054461.tif 000004